Podtech/llm-jp-corpus-v4-ja_patent huggingface dataset:
(57)【要約】　　　（修正有）【課題】いやな雨や雪の日でも体を冷やすことなく愛犬と楽しく散歩ができることを目的としたもので、特に老犬に最適な愛犬用簡易カッパの提供。【解決手段】レインシートに首回りＡ、首回りＢ、胴回りＡ、胴回りＢを設ける。【選択図】　　図１
0003097510.tif 000002
【実用新案登録請求の範囲】
【請求項１】
▲１▼レインシートに▲２▼首回りＡ、▲３▼首回りＢ、▲４▼胴回りＡ、▲５▼胴回りＢを設けて構成する。
【考案の詳細な説明】
【０００１】
【産業上の利用分野】
この考案は中型犬、大型犬用の愛犬ペット用の簡易カッパとして簡単に使用できることを目的としたものです。
【０００２】
【従来の技術】
従来より、これに類するもので小型犬用の服は良く知られている。
【０００３】
【考案が解決しようとする課題】
中型犬、大型犬の雨具として殆ど見当たらず、特別注文で造るしかなかったため高価なものであった。本考案は取り付けが簡単で安価に出来ることを目的としたものである。
【０００４】
【課題を解決するための手段】
▲１▼レインシートに▲２▼首回りＡ、▲３▼首回りＢ、▲４▼胴回りＡ、▲５▼胴回りＢを設けて背中から被せて▲２▼首回りＡと▲３▼首回りＢを重ね合わせた部分を粘着テープで固定し、また、▲４▼胴回りＡと▲５▼胴回りＢを重ね合わせて粘着テープで固定するもので簡単に取り付けが出来るので雨や雪の日でも体を冷やすことなく愛犬と楽しく散歩が出来きる。特に老犬に最適である。
【０００５】
【作用】
▲２▼首回りＡと▲３▼首回りＢ、▲４▼胴回りＡと▲５▼胴回りＢを粘着テープで固定するだけで簡単に取り付けが出来るので雨や雪の日でも体を冷やすことなく愛犬と楽しく散歩が出来る。
【実施例】
【０００６】
以上、本考案の実施例について説明する。
（イ）背中からかぶせて粘着テープで固定するだけで簡単に使用出来る。
【０００７】
【考案の効果】
愛犬を冷たい雨や雪から体を守り、楽しく散歩ができる。
【図面の簡単な説明】
【図　１】本考案の使用状態を示す斜視図
【図　２】▲１▼レインシートに▲２▼首回りＡと▲３▼首回りＢ、▲４▼胴回りＡと▲５▼胴回りＢを設けて構成するものです。
【符号の説明】
▲１▼レインシート
▲２▼首回りＡ
▲３▼首回りＢ
▲４▼胴回りＡ
▲５▼胴回りＢ
【図１】
0003097510.tif 000003
【図２】
0003097510.tif 000004
【手続補正書】
【提出日】平成15年5月26日(2003.5.26)
【手続補正１】
【補正対象書類名】明細書
【補正対象項目名】全文
【補正方法】変更
【補正の内容】
【考案の詳細な説明】
【実用新案登録請求の範囲】
【請求項１】犬の背中からかぶせられたレインシート▲１▼の首回りＡ▲２▼と首回りＢ▲３▼とを粘着テープで固定し、胴回りＡ▲４▼と胴回りＢ▲５▼とを粘着テープで固定して取り付けるようにした愛犬用簡易カッパ。
【考案の詳細な説明】
【０００１】
【産業上の利用分野】
この考案は中型犬、大型犬用の愛犬用簡易カッパとして簡単に使用できることを目的としたものです。
【０００２】
【従来の技術】
従来より、これに類するもので小型犬用の服は良く知られている。
【０００３】
【考案が解決しようとする課題】
中型犬、大型犬の雨具として殆ど見当たらず、特別注文で造るしかなかったため高価なものであった。本考案は取り付けが簡単で低価格で出来ることを目的としたものである。
【０００４】
【課題を解決するための手段】
犬の背中からかぶせられたレインシート▲１▼の首回りＡ▲２▼と首回りＢ▲３▼とを粘着テープで固定し、胴回り部Ａ▲４▼と胴回りＢ▲５▼とを粘着テープで固定して取り付けるようにした愛犬用簡易カッパ。簡単に取り付けが出来るので雨や雪の日でも体を冷やすことなく愛犬と楽しく散歩が出来きる。特に老犬に最適である。
【０００５】
【作用】
首回りＡ▲２▼と首回りＢ▲３▼とを粘着テープで固定し、胴回りＡ▲４▼と胴回りＢ▲５▼とを粘着テープで固定するだけで簡単に取り付けが出来るので雨や雪の日でも体を冷やすことなく愛犬と楽しく散歩が出来る。
【実施例】
【０００６】
以上、本考案の実施例について説明する。
（イ）背中からかぶせて粘着テープで固定するだけで簡単に使用出来る。
【０００７】
【考案の効果】
愛犬を冷たい雨や雪から体を守り、楽しく散歩ができる。
【図面の簡単な説明】
【図　１】
本考案の使用状態を示す斜視図
【図　２】
犬の背中にかぶせて使用するレインシート▲１▼に首回りＡ▲２▼の形状と首回りＢ▲３▼の形状を粘着テープで固定し、胴回りＡ▲４▼の形状と胴回り部Ｂ▲５▼の形状を粘着テープで固定して取り付けるようにした愛犬用簡易カッパ。
【符号の説明】
レインシート▲１▼
首回りＡ▲２▼
首回りＢ▲３▼
胴回りＡ▲４▼
胴回りＢ▲５▼
(57)【要約】　　　（修正有）【課題】トタン板又は波板を張る際、釘を鉛直に打ち付けるための簡単で正確且つ安全に作業ができるような波板横滑り防止治具を提供する。【解決手段】本治具はトタン板又は波板の凹凸部に合致するような構造になっている、側面には釘溝が２本あり指で軽く押さえて上から軽く金鎚で仮止めし、本打ちするときは治具をずらして打ち付けるしくみである。一方、本治具はトタン板又は波板の凹凸に合うようになっており、その表面の中心に穴のあいたカラーが圧入されている。その穴にドリルを挿入することで波板表面での横滑りを防止し正確な位置に穴をあけることが出来る。【選択図】　　図２
0003097501.tif 000002
【実用新案登録請求の範囲】
【請求項１】
本治具はあらゆるトタン板又は波板の凹凸部に合うようになっており、治具の両側には釘うけの溝がある。
即ちこの治具を波板横滑り防止治具という。
【請求項　２】本体はトタン板又はあらゆる波板の凹凸部に合うようになっており、その凹凸部の中心部に穴のあいたカラーが圧入されている構造になっている。即ちこれを波板横滑り防止治具という。
（物件名）　　　要約書
（要約）
あらゆるトタン板又は波板を釘で止める場合、又はフックの穴明けとして、一つの製品で二種類の仕事が出来るのが特徴である。
（選択図）
図−１
【考案の詳細な説明】
【０００１】
【考案の利用分野】
本考案はトタン板又は波板を張るための治具である。
【０００２】
【従来の技術】
従来は釘を手に持ち　トタン板又は波板に釘を直接打ち付ける。
また、フックの穴あけの時はトタン板又は波板の裏側から穴をあけていた。
【０００３】
【考案が解決しようとする課題】
トタン板又は波板を張る際、釘を鉛直に打ち付けるための解決策として考案した。
本治具の下面はトタン板又は波板表面の凹凸部に合致する構造になっており、本治具は横滑りせずに波板の表面に固定できる。
本治具の側面には２本の溝があり釘を安定した形で立てることができるため、釘を鉛直に打ち付ける事が出来る。
【０００４】
本治具は図−２に示すように凹凸部の表面に穴のあいたカラーが圧入されている為、フック用の穴を簡単にあける事が出来るように、考案されている。
【０００５】
トタン板又は波板をフックで止める場合、表面から穴をあけられるように考案した。
【０００６】
【課題を解決するための手段】
波板横滑り防止治具を使用することにより、誰でも簡単に正確にトタン板又は波板を鉛直に打ち付けること　且つ、フック用の穴あけができるのが特徴である。
【０００７】
【考案の実施の形態】
本治具はトタン板又は波板の凹凸部に合致するような構造になっている、側面には釘溝が２本あり指で軽く押さえて上から軽く金鎚で仮止めし、本打ちするときは治具をずらして打ち付けるしくみである。
【０００８】
一方、本治具はトタン板又は波板の凹凸に合うようになっており、その表面の中心に穴のあいたカラーが圧入されている。
その穴にドリルを挿入することで波板表面での横滑りを防止し正確な位置に穴をあけることが出来る。
【０００９】
【考案の効果】
従来はこのような治具がなかったため、波板横滑り治具を使用することでトタン板又は波板表面に鉛直に釘を打つことや穴をあけることができるようになり作業効率の向上がはかれる。
【図面の簡単な説明】
【図−１】横滑り防止治具完成図
【図−２】横滑り防止治具部品図
【図−３】横滑り防止治具使用例
【符号の説明】
１．本体　　　２．釘溝　　　３．カラー用穴　　　４．からー
（課題）
（解決手段）
上記の通り、波板横滑り防止治具を利用すれば誰にでも簡単に正確に安全に作業ができる。
【図１】
0003097501.tif 000003
【図２】
0003097501.tif 000004
【図３】
0003097501.tif 000005
【手続補正書】
【提出日】平成15年5月26日(2003.5.26)
【手続補正３】
【補正対象書類名】明細書
【補正対象項目名】実用新案登録請求の範囲
【補正方法】変更
【補正の内容】
【実用新案登録請求の範囲】
【請求項１】
本体はあらゆるトタン板又は波板の凹凸の形状に合うようになっており凸部の両側には釘受けの溝が掘ってある構造で成り立っている即ちこれを波板横滑り防止治具という
【請求項２】
本体はあらゆるトタン板又は波板の凹凸の形状に合うようになっており凸部中心部には穴のあいたカラーが圧入されている構造で成り立っている即ちこれを波板横滑り防止治具という
【手続補正４】
【補正対象書類名】明細書
【補正対象項目名】符号の説明
【補正方法】変更
【補正の内容】
【符号の説明】
１．本体　　２．釘溝　　３．カラー用穴　　４．カラー用穴
(57)【要約】　　　（修正有）【課題】景品、ノズルキャップ等の付属品を収納し、壜体の上端に立設された口筒に引掛け係止する袋体であって、羅列された複数の壜体間に、付属品が収納されて膨らんだこの袋体が無駄な空間を形成しないようにすること。【解決手段】景品、ノズルキャップ等の付属品を収納する袋本体１２の外面の少なくとも中腹以下に、壜体の上端に立設された口筒に引掛け係止できるリング材１３を付設したことを特徴とする構成である。【選択図】　　　　図１
0003097557.tif 000002
【実用新案登録請求の範囲】
【請求項１】
景品、ノズルキャップ等の付属品を収納する袋本体（１２）の外面の少なくとも中腹以下に、壜体（ａ）の上端に立設された口筒（ｄ）に引掛け係止できるリング材（１３）を付設したことを特徴とする袋体。
【考案の詳細な説明】
【０００１】
【考案の属する技術分野】
本考案は、景品、ノズルキャップ等の付属品を収納し、壜体の口筒に引掛け係止する袋体に関するものである。
【０００２】
【従来の技術】
ジュース、茶等の清涼飲料、ビール、ウイスキー、日本酒等のアルコール飲料、しょう油、酢等の液体調味料等を収納する壜体には、本来の製品の宣伝効果、売上げの向上等を目的として所謂グッズ景品を付けたり、或いは開封後に使用する交換用の密封栓キャップや注出部材としてのノズルキャップ等を付属させることが、広く、多く行われている。
【０００３】
これ等の付属品は、従来は所定の袋体に収納され、更にこの袋体を壜体の口筒に引掛け保持させるようにしていた。
【０００４】
【考案が解決しようとする課題】
図３、図４は従来例を示すものであるが、ここで液体を収納する合成樹脂製或いはガラス製の壜体ａは、その注出性を配慮して、胴部ｂの上端に肩部ｃを介して口筒ｄを立設した構成であり、上記した袋体１は、この口筒ｄに一部を引っ掛けるものであり、更に詳述すれば、最も簡単な形態は、袋体１の上部に孔２を開設するなりリングを付設するなりして、この孔２或いはリングを口筒ｄに引っ掛けるものである。
【０００５】
処がこの従来の構成では、袋体１を口筒ｄに引っ掛けた姿勢で口筒ｄから垂れ下がった袋体１は、付属品を収納して膨らんでる部分が胴部ｂの上部にまで達してしまう。そこで、図４の如く袋体１を引っ掛けた壜体ａを例えば店頭で多数本を陳列する場合、或いは運搬時に並べて箱詰めする、といったような場合、隣合う壜体ａの胴部ｂの間にこの膨らんだ袋体１が位置することになるので、間隔Ｄ分のスペースが形成されてしまい、無駄な空間を費消するものになっていた。
【０００６】
そこで本考案は、上述した従来の欠点、不満点を解消するべく考案された袋体であって、膨らんだ袋体を口筒に引っ掛けた壜体を多数本陳列する場合、隣合う壜体間に無駄な空間が形成されないようにすることを目的とする。
【０００７】
【課題を解決するための手段】
上述した従来の課題を解決する本考案は、景品、ノズルキャップ等の付属品を収納する袋本体の外面の少なくとも中腹以下に、壜体の上端に立設された口筒に引掛け係止できるリング材を付設したことを特徴とする構成である。
【０００８】
【考案の実施の形態】
本考案にかかる袋体１１は、合成樹脂シート、金属箔シート等で成形され、付属品（図示省略）を収納する袋本体１２の外面の少なくとも中腹以下に、リング材１３を付設した構成である。
【０００９】
付属品は、本来の製品或いは芸能等の他の分野の宣伝拡販効果及び売上げの向上等を目的とする所謂グッズ景品であったり、または実用面で、本来のキャップを破断開封した後に使用する交換用の密封栓キャップや、液体の注出方向を規制するためのノズルキャップ等であり、袋体１１は景品の秘匿性やキャップの衛生面を確保するため、付属品を収納した状態で密封される。
【００１０】
リング材１３は、図示実施例では袋本体１２の外面の下部、約１／４の位置に上向きの舌片１４を付設し、この舌片１４に孔を開設して形成するものであり、従って壜体ａの口筒ｄにリング材１３を引っ掛けて、付属品を収納した袋体１１の姿勢は、下端が肩部ｃに乗載して上部３／４が口筒ｄに沿って位置することになる。但しリング材１３は、外観を無視し、且つ上記位置が確保されるならば、単なる輪ゴムをもって代替してもよい。
【００１１】
それ故、図２に示す如く袋体１１を装着した壜体ａを隣接して羅列した場合、付属品によって膨らんだ袋体１１は隣合う壜体ａの口筒ｄ間に位置し、隣合う壜体ａの胴部ｂ同士は相互に接触した姿勢になるので、無駄なスペースが形成されることはないのである。
【００１２】
【考案の効果】
以上説明したように本考案の袋体は、付属品を収納して膨らんだ袋体を壜体の口筒に装着した場合、羅列した隣合う壜体間でこの袋体が邪魔になることはなく、相互間に無駄なスペースが形成されないので、陳列空間、箱詰めの際の収納空間を有効に活用できる効果を奏する。
【図面の簡単な説明】
【図１】本考案の袋体の斜視図である。
【図２】本考案の袋体を装着した状態の複数の壜体を羅列した正面図である。
【図３】従来の袋体の斜視図である。
【図４】従来の袋体を装着した状態の複数の壜体を羅列した正面図である。
【符号の説明】
１１；袋体、１２；袋本体、１３；リング材、１４；舌片、ａ；壜体、ｂ；胴部、ｃ；肩部、ｄ；口筒。
【図１】
0003097557.tif 000003
【図２】
0003097557.tif 000004
【図３】
0003097557.tif 000005
【図４】
0003097557.tif 000006
(57)【要約】【課題】整流器を電気炬燵に取り付けて、電磁炬燵の電気ヒータを直流で発熱させることである。【解決手段】電気炬燵４の任意箇所に整流器１を取り付けた整流器取り付け容器２を設け、整流器１の直流電源部の（＋）と（−）に電気炬燵４の任意数の電気ヒータ６を接続したことである。【選択図】　図２
0003097558.tif 000002
【実用新案登録請求の範囲】
【請求項１】
交流・直流に変換する整流器（１）を取り付けた任意形状の整流器取り付け容器（２）を電気炬燵（４）の任意箇所に設け、前記整流器（１）の直流電源側を任意数の電気ヒータ（６）の両端子に接続して成る整流器付き電気炬燵。
【考案の詳細な説明】
【０００１】
【考案の属する分野】
この考案は、電気炬燵に関する。
【０００２】
【従来の技術】
従来、使用されている電気炬燵は、５０Ｈｚ、６０Ｈｚの周波数の交流電源ををそのまま使用してきたが、近年になり、交流電源から発生する電界、電磁界が人体に影響することがさけばれている。
特に、冬に使用される電気炬燵は、電気ヒータが人体に近く、電気ヒータから発生する交流電磁界で人体の細胞が刺激されて疲れる現象をおこす欠点がある。
【０００３】
【考案が解決しようとする課題】
電気炬燵の電気ヒータから発生する交流電磁界を直流電磁界とすることで、人体の細胞の疲労を防止することである。
【０００４】
【課題を解決するための手段】
電気炬燵の任意箇所に設けた整流器取り付け容器に取り付けた整流器の直流電源部に電気ヒータの両端子を接続したことである。
【０００５】
【考案の実施の形態】
考案の実施の形態について図面を参照して説明する。
図１は、本案の整流器取り付け容器２の内部に整流器１を取り付けたところを示し、整流器取り付け容器２の両端部２Ａにある複数の取り付け穴３を利用して、図２に示す電気炬燵４の側面にネジで取り付ける。
電気炬燵４に取り付けられた整流器取り付け容器２の整流器１の直流電源部のプラス（＋）側とマイナス（−）側に電気ヒータ６の両端子を接続した回路図を図３に示す。
【０００６】
また、整流器１の交流電源部の両端子を電圧調整器５に接続し、この電圧調整器５を交流電源に接続する。
この様に、することにより、電気ヒータ６は、直流で発熱されるので、電気炬燵４の下にいれた人体の足、胴体部は、直流の電磁界にさらされるが、交流電磁界の様に人体の細胞が、５０Ｈｚまたは、６０Ｈｚの周波数で振動されることがなくなり、疲労を感じることが減少する。
一実施例として、６００Ｗの電気ヒータより２ｃｍの距離の交流電磁界が１８０ミリガウスの値が１０ミリガウスに低減したことである。
したがつて、電気炬燵４の下側で、１０ｃｍ以上はなれたところの電磁界の値は、０．６ミリガウス以下となり、人体に大きな影響をあたえることはない。
電圧調整器６は、交流電圧を整流器１に加える電圧を加減することで、電気ヒータ６の発熱を加減することが出来る
【０００７】
【考案の効果】
本考案により、交流電源を直流電源にして電気炬燵の電気ヒータを発熱することにより、電磁界による人体の細胞の疲労を低減することができる。
【図面の簡単な説明】
【図１】整流器を内部に取り付けた整流器取り付け容器の斜視図である。
【図２】整流器取り付け容器を電気炬燵の側面に取り付けた斜視図である。
【図３】電気ヒータに整流器を接続した電気回路図である。
【符号の説明】
１　　　　整流器
２　　　　整流器取り付け容器
２Ａ　　　両端部
３　　　　取り付け穴
４　　　　電気炬燵
５　　　　電圧調整器
６　　　　電気ヒータ
【図１】
0003097558.tif 000003
【図２】
0003097558.tif 000004
【図３】
0003097558.tif 000005
(57)【要約】　　　（修正有）【課題】より着座安定性のある構造の座布団を提供する。【解決手段】主に円形を有する内部中空体１０と、それを囲む主にトロイド型又はドーナツ型を有する外部中空体２０と、からなる座布団であり。内部中空体は、気体注入口１１と液体注入口１２をもち、外部中空体は気体注入口２１をもつ。外部中空体に気体が注入されると、座布団に固い外縁を形成し、座面の安定性を高める。内部中空体に、気体と液体、主に空気と水を注入すると、気体部分と液体部分が形成され、液体表面に波動が発生しマッサージ効果を供する。【選択図】　　　　図１
0003097528.tif 000002
【実用新案登録請求の範囲】
【請求項１】
気体注入口と液体注入口をもち、該液体注入口の径は該気体注入口よりも大きく、任意の高さを持つ円形の内部中空室と、
該内部中空室の周囲に結合され、トロイド型又はドーナツ型より選択された１の形状で、気体注入口をもつ外部中空室と、
該外部中空室には、安定した座位を提供するために、安定するに十分な任意の量の気体が注入され、該内部中空室には、マッサージ効果を供する液体面の波動を起すために、任意の量の気体と液体が各々注入される、
以上の構造を特徴とする、座布団。
【請求項２】
注入される気体が空気である、請求項１に記載のクッション。
【請求項３】
注入される液体が水である、請求項１に記載のクッション。
【考案の詳細な説明】
【０００１】
【考案の属する技術分野】
本考案は、座布団に関し、詳しくは、座位安定性、マッサージ効果を供する座布団に関する。
【０００２】
【従来の技術】
先行技術の座布団は、内部を気体で満たし密封した中空のクッションより成るものであり、このようなクッションは、さらには、滑り止めとしての突起が、縁及び中心部に等間隔に配置されていた。
【０００３】
この滑り止め突起は、表面の摩擦効果を向上させるものであり、よりよい座位安定性を供していた。その気体、一般的に空気を注入したクッションは、着座者を支えるために、膨張し、固くなる。クッションが押し下げられることにより、クッション表面の張りを分散し、着座者の下半身の体型に適合することができる。しかしながら、そのような座布団の使用には幾つかの問題点があった。
【０００４】
着座の快適性から鑑み、滑り止め突起は、着座による圧力により容易に変形するように、軟性の素材が用いられる。この方法では、座布団表面上での、着座者の動きを止めるのには効果的ではなかった。滑り止め効果を高めるために、滑り止め突起は、硬質の物質を用いらねばならず、必然的に、非快適性を生み出すととなった。さらに、従来の気体注入型の座布団は、着座者の体系に適合するように、着座者は座布団の中央部に垂直に座らなければならなかった。着座者の体が中心部より移動すると、座布団の枠外枠の安定がなくなり、容易に転倒することとなった。安定した着座位置を保つためには、着座者は、非均等な状態で、下半身の傾いた体勢で維持せねばならず、しばらくすると、背中に痛みを覚えるようになる。さらに、不浸透性の材質のパッド体は、パッド体との摩擦により、皮膚の体温を上昇させ、このような座布団に座り続けると皮膚炎を原因ともなる。
【０００５】
【考案が解決しようとする課題】
本考案が、解決しようとする課題は、より着座安定性のある構造の座布団を提供することである。
【０００６】
【課題を解決するための手段】
上記の従来の座布団と違い、本考案は、内部中空室と、内部中空室の周囲に設けられた外部中空室から成る。外部中空室は気体注入口をもち、該内部中空室は気体注入口と液体注入口をもつ。外部中空室には、気体が注入され座布団の外縁を形成し、着座者の転倒を防止する。内部中空室には、気体及び液体が注入され、液体表面の波動を生み出すために必要な空間が形成され、その波動によりマッサージ効果を供する。さらに、中空室に注入された液体は温度調節効果もあり、着座者に清涼感を与える。
【０００７】
【実施例】
以下、本考案のさらなる目的と効果を、図面を用いて説明するが、本考案はこれらの実施例によって何ら限定されるものではない。
【０００８】
図１、図２で示すように、本考案に係る座布団は内部中空室１０と外部中空室２０とからなり、外部中空室２０は内部中空室１０の周囲に配置されている。通常、内部中空室１０は円形を成し、任意の高さに設定されている。外部中空室はトロイド型又はドーナツ型を成す。外部中空室２０の内縁は、円形の内部中空室１０の外縁と結合されており、当該座布団を形成する。
【０００９】
外部中空室２０には気体注入口２１が設けられている。内部中空室１０には気体注入口１１と液体注入口１２が設けられている。気体注入口１１の構造は、図４によって示されており、液体注入口１２の構造は図３よって示されている。外部中空室２０は、任意の量の気体、主に空気を注入することにより、着座者を支えるのに好適に、膨らみ、固くなる。内部中空室１０には任意の量の、気体及び液体、通常は空気及び水が、各々気体注入口１１、液体注入口１２から注入される。これにより、気体部分及び液体部分が形成され、液体表面の波動を生み出すに足る空間ができ、波動によりマッサージ効果を供する。
【００１０】
本考案に係る座布団は、独立した２つの中空室より成り、内部中空室が、トロイド型又はドーナツ型の外部中空室によって取り囲まれている。外部中空室は、気体、通常は空気によって満たされ、座布団の外枠を形成し、着座安定性を高める。
【００１１】
気体注入口１１、２１は、各々、気体を内部中空室及び外部中空室に注入するために設けられている。図４に示すように、一般的な気体注入口は、口部、プラグ、口部の底部にあるバルブより成る。気体が気体注入口に注入されると、バルブが内側に押されることにより開き、中空室に気体が流れ入る。気体の注入が終了すると、中空室内の気体の圧力により、バルブが閉じ、空気の流出を防ぐ。同気体注入口を用い、中空室内の気体を抜出す場合は、気体注入部の底部を指などにより圧迫することにより、気体の抜出しが可能となる。この方法では、気体の抜出しが完了するまで、上記の行為を持続する必要があり、不便なものである。本考案に係る内部中空室１０には、気体注入口及び液体注入口が設けてある。液体を気体注入口を用いて中空室内に注入するのは困難であるので、図３で示す液体注入口は、特に、液体を中空室内に注入するためのものである。液体注入口には大きな径の孔が設けられているので、液体の注入、交換に好適であると同時に、気体の抜出しをも容易にする。、
【考案の効果】
以上のように、本考案に係る座布団は座位安定性、マッサージ効果を提供するものである。
【図面の簡単な説明】
【図１】本考案に係る座布団の上面図である。
【図２】本考案に係る座布団の側面の断面図である。
【図３】本考案に係る座布団の液体注入口の断面図である。
【図４】本考案に係る座布団の気体注入口の断面図である。
【符号の説明】
１０　　内部中空室
１１　　気体注入口
１２　　液体注入口
２０　　外部中空室
２１　　気体注入口
【図１】
0003097528.tif 000003
【図２】
0003097528.tif 000004
【図３】
0003097528.tif 000005
【図４】
0003097528.tif 000006
(57)【要約】【課題】パーソナルコンピュータの電源が安価なスイッチング電源を使用しているので電源にＡＣ成分が多く存在しノイズとして、音源等に影響を与えていて特に業務用として使用するには不向きである。【解決手段】パーソナルコンピュータの電源ラインに対し、コネクタ及び拡張スロットに、コンデンサボード、ラインバッファを挿入し、電源ラインのＡＣ成分の低減を図り、電力の供給が安定化し、パーソナルコンピュータの動作の安定化や、音質および画質の向上させるパーソナルコンピュータ用電源ラインバッファ。【選択図】　　　　　図１
0003097526.tif 000002
【実用新案登録請求の範囲】
【請求項１】
パーソナルコンピュータの電源ラインに対し、コネクタ及び拡張スロットに、コンデンサボード、ラインバッファを挿入し、電源ラインのＡＣ成分の低減を図り、電力の供給が安定化し、パーソナルコンピュータの動作の安定化や、音質および画質の向上させるパーソナルコンピュータ用電源ラインバッファ。
【考案の詳細な説明】
【０００１】
【産業上の利用分野】
パーソナルコンピュータ用電源ラインバッファに関するものである。
【０００２】
【従来技術】
パーソナルコンピュータの多機能化やチップの高性能化に伴い、要求される電力が大きくなってきているが、パーソナルコンピュータの本体およびパーツの製造は、低コスト化のためにコンデンサの容量を小さくする傾向があり、特に業務用として音声等のアナログ信号を使用するときに、電源等のノイズにより脆弱な状態にある事が多いが、現在汎用性を特に重視するパーソナルコンピュータにおいては特に電源の安定度を改善する措置は特別には取られていない。
【０００３】
【考案が解決しようとする課題】
上記の問題を解決するには、電源部の安定度を高め、高性能のコンデンサ等を使用すれば改善される。．
【０００４】
しかし、電気的知識や半田付け等の技術や技能が要求されるので通常では困難である。
【０００５】
【課題を解決するための手段】
米国インテル社や、ＰＣＩ　ＳＩＧ等の団体が策定している規格に従い、予め適切なコンデンサを組み込んだパーツ（ラインバッファ）を作成する。
【０００６】
【実施例】
パーソナルコンピュータへの実施は、通常は図１のパーソナルコンピュータの電源ユニット１よりパーソナルコンピュータのマザーボード３に接続されるが，　あらかじめ用意されたラインバッファ２を挿入する。
【０００７】
図３はラインバッファ２の詳細説明図である。コネクタ２１は電源ユニット１との接続に使用され、単純に使用者が、接続するためにコネクタ２１は既存のマザーボード用のものを使用する。コネクタ２３はマザーボードへ接続されコネクタ２１と同様の理由で既存のマザーボード用のものを使用する。
【０００８】
電源はマザーボード３に直接接続される場合には従来技術で述べたように
安定度は低いが，コネクタ２１よりバッファ２２を通してコネクタ２３より出力されたものをマザーボード３へ入力するとＰＣ全体の電源安定度が増す効果が期待できる。
【０００９】
また図２のパーソナルコンピュータのマザーボード３に用意された拡張スロット４にあかじめ用意されたラインバッファ１１を挿入する。
【００１０】
図４はラインバッファ１１の詳細説明であり、マザーボード３に用意された拡張スロット４は通常４つ以上設けることを規格とし、現在では拡張ボード３１と同様な形状で、マザーボード３との接続用コネクタ３２と同一のもの（通称ＰＣＩボード。）が非常に多く出まわっている上に動作速度も速いので特に安定度に影響する部分である。そこで拡張ボード３１上にバッファ２２を形成することで図１に加えて安定度を増すことができる。
【００１１】
【考案の効果】
本案は叙上の如く、パーソナルコンピュータの電源ラインに対し、コネクタ及び拡張スロットに、コンデンサボード「パーソナルコンピュータ電源ラインバッファ」を挿入し、電源ラインのＡＣ成分の低減を図り、電力の供給が安定化し、パーソナルコンピュータの動作の安定化や、音質および画質の向上が期待できる。
【図面の簡単な説明】
【図１】本考案によるパーソナルコンピュータ用電源ラインバッファのブロック説明図。
【図２】本考案によるパーソナルコンピュータのマザーボードの電源ラインバッファのブロック説明図。
【図３】ラインバッファ２の詳細説明図
【図４】ラインバッファ１１の詳細説明図
【符号の説明】
１はパーソナルコンピュータの電源ユニット
２は電源用ラインバッファ
３はパーソナルコンピュータのマザーボード
４はマザーボード上の拡張コネクタ
１１は拡張ボード上のラインバッファ
２１はパーソナルコンピュータの電源ユニットのコネクタ
２２はバッファ
２３はパーソナルコンピュータのマザーボードの電源供給部部との接続用コネクタ
３１はＰＣＩ、ＳＩＧで決められた拡張ボード（ＰＣＩボード）
３２はマザーボードとの接続用コネクタ（ＰＣＩエッジコネクタ）
【図１】
0003097526.tif 000003
【図２】
0003097526.tif 000004
【図３】
0003097526.tif 000005
【図４】
0003097526.tif 000006
【手続補正書】
【提出日】平成15年5月23日(2003.5.23)
【手続補正１】
【補正対象書類名】明細書
【補正対象項目名】請求項１
【補正方法】変更
【補正の内容】
【請求項１】
パーソナルコンピュータにおける電源ラインのコネクタ及び拡張スロットに、コンデンサボード、ラインバッファを接続し、電源ラインのＡＣ成分の低減を図り、電力の供給が安定化し、パーソナルコンピュータの動作の安定化や、音質および画質の向上させるパーソナルコンピュータ用電源ラインバッファ。
【手続補正２】
【補正対象書類名】明細書
【補正対象項目名】００１１
【補正方法】変更
【補正の内容】
【００１１】
【考案の効果】
本案は叙上の如く、パーソナルコンピュータにおける電源ラインのコネクタ及び拡張スロットに、コンデンサボード、ラインバッファを接続し、電源ラインのＡＣ成分の低減を図り、電力の供給が安定化し、パーソナルコンピュータの動作の安定化や、音質および画質の向上が期待できる。




【手続補正書】
【提出日】平成15年7月15日(2003.7.15)
【手続補正２】
【補正対象書類名】明細書
【補正対象項目名】請求項１
【補正方法】変更
【補正の内容】
【請求項１】
ラインバッファ電源の安定化・ノイズの除去を図るため、予め定められた耐圧、耐容量、周波数特性をもったコンデンサのパーツをコンピュータ電源ラインに取付けてなる、パーソナルコンピュータ用電源安定化装置。
(57)【要約】【課題】エアーストーンとは、木製の物とセラミック製の物が一般的である。しかし、木製の物は腐敗しやすくセラミック製の物は気泡が荒い欠点があるが、腐敗せず微細な気泡を発生させる効果のあるチャコールストーンを提供する。【解決手段】従来のエアーストーンを直方体の炭（１）の底面に穴を開け、プラスチック製のネジ釘（２）を差し込んだ物に替える。炭であるために腐敗せず、微細な気泡を発生させ、不純物の分解の効果もあるチャコールストーンを特徴とする。【選択図】図２
0003097354.tif 000002
【実用新案登録請求の範囲】
【請求項１】
炭（１）の底面に穴を開け、ネジ釘（２）を差し込んだチャコールストーン。
【考案の詳細な説明】
【０００１】
【考案の属する技術分野】
この考案は、炭の底面に穴を開け、ネジ釘を差し込んだチャコールストーンに関するものである。
【０００２】
【従来の技術】
従来、水槽のプロティンスキマーに使用するエアーストーンとは、ウッドストーンが一般的であった。
【０００３】
【考案が解決しようとする課題】
これはつぎのような欠点があった。
ウッドストーンは木製であり、長い間水に浸していると腐敗してしまう。その結果、気泡が荒くなってしまう。腐敗のないセラミック製の物もあるが、これは気泡が荒い物しか今の所販売されていない。気泡が荒いと酸素を充分に溶解できない。
本考案は、以上のような欠点を失くすためになされたものである。
【０００４】
【課題を解決するための手段】
材質を木製の物から炭（１）の底面に穴を開け、プラスチック製のネジ釘（２）を差し込んだ物に変更した。
本考案は、以上の構成よりなるチャコールストーンである。
【０００５】
【考案の実施の形態】
以下、本考案の実施の形態について説明する。
直方体の炭（１）の底面に穴を開け、プラスチック製のネジ釘（２）を差し込んだ。本考案は以上のような構造でこれを使用する時は、木製の物と替えてこれを差し込めばよい。
【０００６】
【考案の効果】
エアーストーンには、木製の物とセラミック製の物があるが、木製の物は腐敗しやすく又、セラミック製の物は気泡が荒いため酸素の溶解度が小さいが、炭を使う事によって微細な気泡を発生させ、なおかつ通気性が良くなり酸素の溶解度も大きくなる。また炭には無数の穴に微生物がすみつきやすいため、微生物の膜を作り不純物を分解させる効果もある。
【図面の簡単な説明】
【図１】本考案の右側面図である。
【図２】本考案の正面図である。
【図３】本考案の左側面図である。
【図４】本考案の底面図である。
【符号の説明】
１　炭
２　ネジ釘
３　ゴムパッキン
【図１】
0003097354.tif 000003
【手続補正書】
【提出日】平成15年5月29日(2003.5.29)
【手続補正１】
【補正対象書類名】図面
【補正対象項目名】全図
【補正方法】変更
【補正の内容】
【図１】
0003097354.tif 000004
【図２】
0003097354.tif 000005
【図３】
0003097354.tif 000006
【図４】
0003097354.tif 000007
(57)【要約】【課題】この考案は、二重の浮き袋の接合に関するもので、より強度を増し、且つ浮き輪と浮き輪との間からの水の吹き上げを防止して、しかも子供の自由な動きを妨げないことを目的とする。【解決手段】外リング接合面Ａ上に長弧の両端にさらに短弧を描いた溶着線を設け内リングの接合面Ｄに溶着することで浮き袋のねじれの負荷を分散させる。また、接合面Ａと接合面Ｄには波型の形状をもたせ下部の水面からの水の吹き上げを防止し、且つ水からの圧力を分散させる。【選択図】　図４
0003097356.tif 000002
【実用新案登録請求の範囲】
【請求項１】
２つの浮き輪を一体化した浮き輪において、内リングと外リングとを接続する１以上の溶着線が長弧を描きその両終端にさらに内側へ対称な円弧線を連続するよう溶着して構成した浮き輪
【請求項２】
上記の浮き輪において、接合面Ａの各両端に波型の形状を持ち、さらにそれに対応する内リング接合面Ｄにも波型の形状をもたせるように構成した浮き輪
【考案の詳細な説明】
【考案の属する技術分野】
本考案は二重の浮き輪に関する。
【従来の技術】
従来、例えば、当社の二重浮き輪では、内リングと外リングとの前方部の接続では図１に示すように、長弧の溶着線で接続していた。　これは、子供の動きによって内リングと外リングとの間の隙間から、内リングパンツ状座部に位置する子供に水が吹き上がるのを防止するためである。図１に従来の二重浮き輪の構造を示しており、内リングと外リングは前方で長弧の溶着線で接続されている。
【考案が解決しようとする課題】
この従来の形状においては、内リングが前方で固定されてしまうため子供の自由な動きが妨げられ、さらに子供が大きく左右に動くなど過激な場合、溶着線の長弧の両端に大きなねじれと負荷がかかり接合面に、裂け目が生じる可能性があった。　本考案は、この両端にかかる負荷を軽減させ、より自由な動きを助けることを目的とする。
【課題を解決するための手段】
この課題を解決するために本考案は、溶着線の両端を図２のＧの如く楕円の半分以上まで連続させている。　このため、図１の溶着線Ｊではねじれが生じた場合、両端に大きな負荷がかかるが、図２の溶着線Ｇでは、溶着線がさらに円弧の内側まで連続するため、負荷が内側まで分散される。　この作用は溶着線の半円弧を内リング側に空けて描いても、外リング側に逆に向けて描いても同様である。図３の内リング溶着線Ｈは図２の外リングの溶着線Ｇと同一である。　このように部分的な短円弧を長円弧の両端に有するため、内リングは外リングにたいし円弧線上を図１より自由に動かすことができる。
【考案の実施の形態】
本考案の請求項１に記載の考案は、２つの浮き輪を一体化した浮き輪において、内リングと外リングとを接続する１以上の溶着線が長弧を描きその各終端がさらに内側に楕円線上を連続するように構成した浮き輪であり、これにより、内リング内パンツに座位する子供の動きによる内リングと外リングとの接合面のねじれによる負荷を軽減しさらに、子供の自由な動きを助けるという作用を有する。さらに本考案の請求項２に記載の考案は、２つの浮き輪を一体化した浮き輪において、水面からの圧力を分散し、かつ子供の動きによる内、外リングの間からの水の吹き上げを防止する作用を有する。
以下、本考案の実施の形態について、図１から図６を用いて説明する。
【実施形態１】
図１は従来の二重リングの浮き輪の接合を示し、図１において溶着線Ｊは、外リングＬと内リングＭの前部接合を行うもので、内リングの接合面Ｋと外リング接合面Ｎ上に描かれる。接合面Ｎは接合面Ｋの下では同一に位置し図に現れていない。　内リング中央に位置する子供が左右に動き本体をねじれさせると外リングは独立して水に浮いているため、長弧の溶着線Ｊの両端部分と接合面Ｋ及びＮに過大な負荷がかかる。
図４は本考案によるもので外リング図２と内リング図３を接合させたもので、溶着線Ｇ及びＨは一体に現れる。パンツ状座部Ｉに位置する子供が左右に動いても溶着線ＧとＨは負荷を伸びた円弧部分の内側に向け軽減させる事ができ、外リングの接合面Ａと内リングの接合面Ｄにより両リングの間から水が吹き上げることがない。なお、接合面Ａ，Ｂ，Ｃ，Ｄ，Ｅ，Ｆ，Ｋ，Ｎ，Ｏ，Ｐは全て空気が入らない。空気室は図に示す内リングと外リングのみである。同様に内リング内のパンツ状座部も空気の入らないビニールの張り合わせた形状である。素材はビニールの他、ＥＶＡやゴム、ポリウレタンなどを使用する。
【実施形態２】
図６では、前部の接合面の溶着線の他、後部の２箇所の溶着線も部分楕円状にしたものである。
なお、以上の説明では、半楕円状の溶着線で二重リングの接合を構成した例で説明したが、その他前部の接合面の溶着線を全楕円線にしても同様に実施可能である。
【考案の効果】
以上のように本発明によれば、内リング内の子供の自由な動きが図られ、なお接合面においての強度が増して安全であり、内リングと外リング間からの水の吹き上げを防止するという有利な効果が得られる。
【図面の簡単な説明】
【図１】従来の二重リングの浮き輪の形態を示す正面図
【図２】本考案の一実施の形態による外リングを示す正面図
【図３】本考案の一実施の形態による内リングを示す正面図
【図４】図２外リングと図３内リングとを接合させた状態を示す正面図
【図５】本考案の一実施の形態による二重リングを示す斜視図
【図６】本考案の他の形態による二重リングを示す正面図
【図１】
0003097356.tif 000003
【図２】
0003097356.tif 000004
【図３】
0003097356.tif 000005
【図４】
0003097356.tif 000006
【図５】
0003097356.tif 000007
【図６】
0003097356.tif 000008
【手続補正書】
【提出日】平成15年5月29日(2003.5.29)
【手続補正１】
【補正対象書類名】明細書
【補正対象項目名】実用新案登録請求の範囲
【補正方法】変更
【補正の内容】
【実用新案登録請求の範囲】
【請求項１】
内リングと外リングからなる２つの浮き輪を一体化した浮き輪において、内リングと外リングとを接続する１以上の溶着線が長弧を描きその両終端にさらに内側へ対称な円弧線を連続するよう溶着して構成した浮き輪
【請求項２】
内リングと外リングからなる２つの浮き輪を一体化した浮き輪において、外リング接合面Ａの各両端に波型の形状を持ち、さらにそれに対応する内リング接合面Ｄにも波型の形状をもたせるように構成した浮き輪
(57)【要約】　　　（修正有）【課題】打設現場において残留生コンクリートの処理は生コンクリート打設の課題となっており、当社考案の残コン処理容器を使用することで処理が可能になった。【解決手段】一辺３ｍ四角の合成繊維（ラミネット仕様）シートの中央に排出口をもうけた残コン処理容器に残留生コンクリートを回収しクレーン等で吊り上げコンクリート・ミキサ車のホッパ上で排出し処理する。【選択図】　　図８
0003097352.tif 000002
【実用新案登録請求の範囲】
【請求項１】
１辺３ｍ四角の合成繊維（ラミネット仕様）シートの中心に排出口▲３▼をもうけて四隅の角に吊りフックをつけ、生コンクリート打設現場においての残留生コンクリートの処理を目的とした容器ＳＲＧモッコ。
【考案の詳細な説明】
【０００１】
【考案の属する技術分野】
本考案は生コンクリート打設現場においての残留生コンクリート処理に係るものであり、手早く、安全に、完全処理を目的とした容器であり、未使用時は折りたたんであるのでスペースをとりません。
【０００２】
【従来の技術】
残留生コンクリートをトラック・ミキサー車へ戻す手段はある、不経済ではあるが、熟練したオペレーターがステージをあらかじめ設置しておき、コンクリート逆戻パイプラインに経路を変え、続いてトラックミキサー車をステージに移動させ、ストップバルブを開放して、ミキサー車のドラムに戻す、段取時間や収納時間を有した。
【０００３】
【考案が解決しようとする課題】
従来の技術で述べたもののうち、残留生コンクリートをすべて、ホッパ
0003097352.tif 000003
保管等に使用していたコンテナーパックを参考にして流体（生コンクリート）を反転しないで排出出来るようになされたものである。
【０００４】
【課題を解決するための手段】
この考案は合成繊維（ラミネット仕様）のシートの中心に排出口図４、図５、をつけたもので生コンクリートの残コンを効率的に処理することが目的とした。
【０００５】
排出口▲３▼は略四角の筒状▲５▼を有するもので排出前はヒモ▲６▼で排出口を結んで▲７▼▲９▼▲８▼のワンタッチ止具で格納する。
【０００６】
【考案の実施の形態】
図１から図５で構成された、残コン処理容器ＳＲＧモッコ▲１▼は合成繊維にラミネット加工を施行して、防水性を高め中心部排出口▲３▼は▲４▼▲５▼▲９▼で形成し、荷重の架る個所に剛性を出すために補強を施す。
【０００７】
図４，図５は生コンクリートの排出口を表す、▲５▼は略四角の筒状であって周り四辺に▲９▼三角形の係止部を有し▲６▼ヒモで▲５▼筒状を結び手で▲３▼に押し込み▲８▼パイプを▲９▼に移動する作業で図６，図７に示す様に収納できる。
【０００８】
排出口を収納した状態の残コン処理容器ＳＲＧモッコを図８コンクリ
0003097352.tif 000004
Ｇモッコを敷く。
【０００９】
0003097352.tif 000005
【００１０】
残留生コンクリート処理完了后は残コン処理容器ＳＲＧモッコを洗浄し、折りたたんで格納する。
【００１１】
【考案の効果】
考案の商品を使用することにより残留生コンクリートを完全に処理することが可能になり、安全性と作業時間の短縮につなかり、廃棄物の効率的な分別処理で循環への新しいカタチに効果を奏ずる。
【図面の簡単な説明】
【図１】残留生コンクリートを受ける側（表側）の本考案の平面図である。
【図２】残留生コンクリートを排出する側（裏側）で略四角の排出口案内が垂れ下る側の本考案の平面図である。
【図３】残留生コンクリート出口と排出口案内及附属部がよくわかる要部斜視図である。
【図４】残留生コンクリート排出口案内及附属部品がよくわかる要部斜視図である。
【図５】残留生コンクリート排出口案内及筒状を縛るヒモ▲６▼がよくわかる要部斜視図である。
【図６】使用前の排出口を結んだ状態を示す平面図である。
【図７】使用前の排出口を結んだ状態を示す要部斜視図である、排出口案内の収納状態を示す。
【図８】コンクリートポンプ車のスクイズ式ポンプのホッパーから残留生コンクリートを残コン処理容器ＳＲＧモッコの上に排出する状態を示す断面図である。
【図９】残留生コンクリートを受け止めた残コン処理容器ＳＲＧモッコをクレーン等で吊り上げてコンクリート・ミキサー車のドラムへ返す本考案の斜視図である。
【符号の説明】
▲１▼　シート（３ｍ×３ｍ）表側
▲１▼″シート（３ｍ×３ｍ）裏側
▲２▼　吊りヒモ
▲３▼　出口
▲４▼　補強部
▲５▼　略四角の筒状の合成繊維で排出口ノ案内
▲６▼　排出口ノ案内を縛るヒモ
▲７▼　略四角の筒状（排出口案内）を収納するときに締め付けるヒモ
▲８▼　締め付用パイプ
▲９▼　収納時の係止部
0003097352.tif 000006
0003097352.tif 000007
【図１】
0003097352.tif 000008
【図２】
0003097352.tif 000009
【図３】
0003097352.tif 000010
【図４】
0003097352.tif 000011
【図５】
0003097352.tif 000012
【図６】
0003097352.tif 000013
【図７】
0003097352.tif 000014
【図８】
0003097352.tif 000015
【図９】
0003097352.tif 000016
【手続補正書】
【提出日】平成15年5月14日(2003.5.14)
【手続補正２】
【補正対象書類名】明細書
【補正対象項目名】実用新案登録請求の範囲
【補正方法】変更
【補正の内容】
【実用新案登録請求の範囲】
【請求項１】
四角形の防水性にした合成繊維シートの中心に排出口▲３▼をもうけて四隅の角に吊りフックをつけ、生コンクリート打設現場において残留生コンクリートを収集して、反転しないで排出口▲３▼から排出処理を目的とした容器。
(57)【要約】　　　（修正有）【課題】屋外や利用する場所に係らず不便さを感じさせず、コストの面も考慮に入れ現在使用している蓋を利用し熱が逃げず容易に開かない蓋の提供。【解決手段】蓋のつまみの一部に切れ目を入れるが先ず、使用するカップの淵の外周がほぼ当たる位置に淵に添って曲線の切れ目を入れ、その両端よりつまみの先端方向に向かって直線の切れ目を左右二ヶ所入れるが、深さは淵の下側の巾程度、これで三辺から成るコの字状の面が出来、この時、曲線の切れ目部は直線でも効果有りこの面は蓋をする為、つまみを下に押し下げる行為中に、つまみの裏側に突出し淵の下側に添って入り込み、上部の蓋と淵の下に入り込んだコの字状の面は、カップの淵をサンドイッチ状態に挟み込み後は従来通り押さえる事で一層強固に淵を噛み、容易に開かない。【選択図】　　図１
0003097359.tif 000002
【実用新案登録請求の範囲】
【請求項１】
インスタント食品であるカップ麺類、ワンタン等に使用されているフィルム状の蓋のつまみ部分にコの字状の切れ目を加える。
【考案の詳細な説明】
【考案の属する技術分野】容器　包装関係
【従来の技術】フィルム状の蓋の開閉用のつまみ部分をカッブの淵に押しつけるだけだったので熱湯の蒸気上昇力が勝り蓋を押さえる力が足りず押しあげられ蓋が開くもので熱が逃げ各メーカーが設定している時間内はとても持たず本来メーカーが設定している風味、食感、麺の風合いは得られないものである。
【考案が解決しようとする課題】コストを考慮し現に使用されている材質形状のまま熱が逃げず場所を選ばず利便性を高めた容易に開かない蓋の実現
【課題を解決するための手段】現在使用されている蓋の開閉用のつまみ部分にカップの淵の外周がほぼ当る位置にコの字状の切れ目を加える。
【考案の実施の形態】つまみ部に出来たコの字の面は蓋を閉じる為、つまみを下に押し下げる動作中、必然的に切り込んだ分だけつまみ部分の平面より裏側に突出しカップの淵の下側に添って入り込み、上部の蓋と一体となっているつまみ部分のコの字の面は上部の蓋と共にカップの淵をサンドイッチ状に挟み込み後に従来通り押さえる、その先端は各々のカップの曲線に合わせるのが望ましい切れ目の深さはカッブの淵の下面の巾程度
【実施例】押さえた後はより強固に淵を噛み熱湯注入後、容易に開かない為メーカーの指定する時間に充分耐えコの字状の面は必要以上大きくなくても効果は得られるので必要最小限とする
【考案の効果】利便性を高め不要な物を持ちいずとも熱が逃げず場所を選ばず本来の食感が楽しめ　　　海外旅行者、海外利用者と利用範囲が広がる。
【図面の簡単な説明】
【図１】平面図
【図２】立面図
【図３】断面図
【符号の説明】符号Ａはつまみ部分に入れるコの字状の形状
符号Ｂはフィルム製の蓋つまみ部分
符号Ｃは正面から見てコの字状の面がカップの淵の下側に入りカップの一部が切れ目の横幅分のみ露出するがなんら支障なし
符号Ｄはカップの淵部分
符号Ｅはカップの淵の下側に入り込んだコの字状Ａ
【図１】
0003097359.tif 000003
【図２】
0003097359.tif 000004
【図３】
0003097359.tif 000005
【手続補正書】
【提出日】平成15年5月12日(2003.5.12)
【手続補正１】
【補正対象書類名】明細書
【補正対象項目名】〔実用新案登録請求の範囲〕
【補正方法】追加
【補正の内容】
【実用新案登録請求の範囲】
【請求項１】
インスタント食品であるカップ麺類、ワンタン等に使用されているフィルム状の蓋のつまみ部分にコの字状の切れ目を加えたクローザー。